(57)【特許請求の範囲】
【請求項１】
操作杆の一端に拘束部を設けるとともに、拘束部を開閉するスライド部材とロック機構とストッパー機構とを設けてなり、
前記拘束部は、内側に湾曲面を形成した一対の拘束アームを備え、前記拘束アームの内側端部を前記操作杆内にスライド自在に挿通されたスライド部材の先端部に固定部材を介して回動自在に軸着するとともに、操作杆先端に固着されており、スライド部材をスライド自在に挿通する支持部材と前記拘束アームとの間に、遥動板を回動自在に軸着することによって前記拘束アームを開閉自在に形成してなり、  
前記ロック機構は、操作杆内をスライドするキーガイドと、前記キーガイドに出没自在に埋設されたラチェットキーと、キーガイドの軸芯に設けたピン穴から前記ラチェットキーの中心に穿設した透孔に出入する解除ピンと、操作杆の内面に形成され前記ラチェットキーの先端と係合する鋸歯状溝とを有し、前記解除ピンは操作杆の後端部に進退可能に設けた操作部に固着するとともに、キーガイドと操作杆との間にバネを装着してなり、
前記ストッパー機構は、前記キーガイドに設けられたボタンピンと、操作杆に穿設した前記ボタンピンが嵌入する透孔と、前記ボタンピンを押し下げるリリースプレートとからなり、
スライド部材を操作杆内に突設した元筒バネ受けに挿通して後端部を前記キーガイドに固定し、元筒バネ受けとキーガイドとの間にバネを装着してなることを特徴とする開閉式身体拘束具。
【請求項２】
操作杆を先端筒と先端筒を挿入する元筒によって形成し、スライド部材をスライド管と前記スライド管に挿入されるスライドバーによって形成し、操作杆とスライド部材とを伸縮自在としたことを特徴とする請求項１に記載の開閉式身体拘束具。
【請求項３】
操作杆は、先端筒と前記先端筒を挿入する元筒とからなり、先端筒の後端部に固定用ボタンピンを設け、元筒の先端部と後端部にそれぞれ伸縮時に前記固定用ボタンピンが嵌合する透孔を穿設してなり、スライド部材は、スライド管と前記スライド管にスライド自在に挿入されるスライドバーからなり、伸長時にはスライドバーの先端部の係止片がスライド管の底部に設けた係止板に係止するように形成してなり、スライド管の外周側には先端筒内面に突設したバネ受けに係止され、スライド管を先端方向に付勢する押圧バネを装着したことを特徴とする請求項１に記載の開閉式身体拘束具。
【請求項４】
拘束アームの先端部に内側にのみ回転し外側には回転しない逆止め付ローラを設けたことを特徴とする請求項１〜３のいずれか１項に記載の開閉式身体拘束具。
【請求項５】
ロック機構におけるラチェットキーの先端部と鋸歯状溝は、垂直面と傾斜面からなり、傾斜面は手元側内方に向かって傾斜していることを特徴とする請求項１〜４のいずれか１項に記載の開閉式身体拘束具。
【発明の詳細な説明】
【技術分野】
【０００１】
この発明は、拘束アームを開閉自在とした身体拘束具に係り、犯罪者、暴漢者等の手、足等を拘束して身体の自由を奪い、抵抗や逃走を防ぐとともに、犯罪者、暴漢者等からの生命、身体に対する急迫した攻撃から十分な距離をとって身体を保護することができる開閉式身体拘束具に関する。
【背景技術】
【０００２】
従来、刃物を所持している暴漢者等から身を守りながら取り押さえる防犯具又は捕物具として刺股が使用されており、また、警察官が犯罪者を逮捕する際には、手錠を用いて捕縛することが行われている。これらの伝統的な身体拘束具の他に、開閉部分が完全に閉じなくてもある程度閉じた状態から開かないように、閉鎖状態をロックするようにロック機構を設けた身体拘束具が提案されている。
【０００３】
このような身体拘束具として、例えば、特開２００７−７１５２５号公報記載の「開閉式捕獲器」があり、特開２０１０−１７５１１３号公報記載の「刺股型開閉可能な身体拘束具」がある。前記公報記載の「開閉式捕獲器」、「刺股型開閉可能な身体拘束具」は、いずれも二股状の開閉部分が捕獲対象物の大きさに応じて閉鎖状態が維持され、身体の自由を奪うように構成されている。
【０００４】
前記特開２００７−７１５２５号公報記載の「開閉式捕獲器」は、スライドシャフトの先端に取り付けられた開閉可能な掴み部の二本のアームが、前記掴み部を捕獲対象物に押し付けることにより、スライドシャフトが手元方向に摺動し、その摺動に応じて二本のアームが互いに近接する方向に閉鎖し、スライドシャフトの先端方向への摺動はストッパー手段によって制御するように構成されている。
【０００５】
また、特開２０１０−１７５１１３号公報記載の「刺股型開閉可能な身体拘束具」は、スライドシャフトに掴み部のアームを閉じるためのバネが用いられており、掴み部を捕獲対象物に押し付けることなく、前記バネの付勢力によってアームを閉じることができるように構成されている。そして、スライドシャフトに鋸歯状突起からなるラック型係合部と、前記ラック型係合部と係合する係止片を有する係止部とによってロック部を形成し、前記ロック部は、係合状態が維持されているときはスライドシャフトの手元方向にのみスライドするように形成されている。
【先行技術文献】
【特許文献】
【０００６】
【特許文献１】特開２００７−７１５２５号公報
【特許文献２】特開２０１０−１７５１１３号公報
【発明の概要】
【発明が解決しようとする課題】
【０００７】
上記公報記載の「開閉式捕獲器」は、暴漢者等の身体の周囲を取り囲むように閉塞して自由を奪うものであり、スライドシャフトの摺動幅に応じて閉鎖し、その適当な閉鎖状態がストッパー手段によって維持され、開く方向に動かないようにロックされる。しかしながら、身体を拘束する二本のアームは、シャフトの先端部を捕獲対象物に押し付けることによって閉じられるものであるから、完全に閉じられる前に容易に拘束から逃れることができる。押し付ければ逃げるのが道理であり、事実上拘束することは困難である。
【０００８】
また、閉塞状態を維持するストッパー手段は設けられているものの、瞬時にアームを開くことができない。スライドシャフトの摺動幅に応じて閉鎖した状態から掴み部のアームを開くには、ストッパー手段によるロック状態を解除しながら手でアームを開かなければならない。このような操作方法では、捕獲対象物に逃げられるおそれがあり、反対に逆襲される危険もある。
【０００９】
特開２０１０−１７５１１３号公報記載の「刺股型開閉可能な身体拘束具」は、スライドシャフトの先端部を押し付けることなく、開閉保持部を操作することによりバネの付勢力によって一気に掴み部の二つの挟み込み部材を閉じることができるから、暴漢者等を拘束することができる。
【００１０】
しかしながら、この発明においても閉じた挟み込み部材は、上記の「開閉式捕獲器」と同様に、ロック状態を解除しながら手で開かなければならない。また、操作杆は、暴漢者等との距離を保ち、危険を回避するために長尺に形成されているから、パトカーに積んでおくことができず、持ち運びや保管が困難である。
【００１１】
上述の通り、従来提案されている身体拘束具には、完全に拘束できなかった場合に現場において即座に対応できないという問題がある。この発明は、上述のような問題を解消するものであって、暴漢者等から身体の危険を回避しつつ、対象物に押し付けることなく瞬時に拘束アームを閉塞することができ、また閉じた拘束アームをワンタッチで開くことができる開閉式身体拘束具を提供することを目的とする。また、この発明は、操作杆を伸縮自在として保管、運搬に有利な開閉式身体拘束具を提供することを目的とする。
【課題を解決するための手段】
【００１２】
この発明は上記目的を達成するために次のような構成とした。この発明に係る開閉式身体拘束具は、
操作杆の一端に拘束部を設けるとともに、拘束部を開閉するスライド部材とロック機構とストッパー機構とを設けてなり、
前記拘束部は、内側に湾曲面を形成した一対の拘束アームを備え、前記拘束アームの内側端部を前記操作杆内にスライド自在に挿通されたスライド部材の先端部に固定部材を介して回動自在に軸着するとともに、操作杆先端に固着されており、スライド部材をスライド自在に挿通する支持部材と前記拘束アームとの間に、遥動板を回動自在に軸着することによって前記拘束アームを開閉自在に形成してなり、  
前記ロック機構は、操作杆内をスライドするキーガイドと、前記キーガイドに出没自在に埋設されたラチェットキーと、キーガイドの軸芯に設けたピン穴から前記ラチェットキーの中心に穿設した透孔に出入する解除ピンと、操作杆の内面に形成され前記ラチェットキーの先端と係合する鋸歯状溝とを有し、前記解除ピンは操作杆の後端部に進退可能に設けた操作部に固着するとともに、キーガイドと操作杆との間にバネを装着してなり、
前記ストッパー機構は、前記キーガイドに設けられたボタンピンと、操作杆に穿設した前記ボタンピンが嵌入する透孔と、前記ボタンピンを押し下げるリリースプレートとからなり、
スライド部材を操作杆内に突設した元筒バネ受けに挿通して後端部を前記キーガイドに固定し、元筒バネ受けとキーガイドとの間にバネを装着してなることを特徴とする。
【００１３】
上記操作杆とスライド部材は伸縮自在とすることができる。操作杆とスライド部材を伸縮自在とするには、操作杆を先端筒と先端筒を挿入する元筒によって形成し、スライド部材をスライド管と前記スライド管に挿入されるスライドバーによって形成すればよい。
また、操作杆とスライド部材を伸縮自在とするには、操作杆は、先端筒と前記先端筒を挿入する元筒とからなり、先端筒の後端部に固定用ボタンピンを設け、元筒の先端部と後端部にそれぞれ伸縮時に前記固定用ボタンピンが嵌合する透孔を穿設してなり、スライド部材は、スライド管と前記スライド管にスライド自在に挿入されるスライドバーからなり、伸長時にはスライドバーの先端部の係止片がスライド管の底部に設けた係止板に係止するように形成してなり、スライド管の外周側には先端筒内面に突設したバネ受けに係止され、スライド管を先端方向に付勢する押圧バネを装着することにより形成してもよい。
【００１４】
拘束アームの先端部に内側にのみ回転し外側には回転しない逆止め付ローラを設けることが好ましい。また、ロック機構におけるラチェットキーの先端部と鋸歯状溝は、垂直面と傾斜面からなり、傾斜面は手元側内方に向かって傾斜するように形成することが好ましい。
【発明の効果】
【００１５】
この発明の開閉可能な身体拘束具は、片手で操作することができ、ワンタッチで拘束アーム部を開閉することができる。従って、拘束アームを閉じるときは、暴漢者等に押し付けることなく、拘束アーム内に入った瞬時に一気に閉じることができる。また、拘束アームの先端部には、内側にのみ回転するガイドローラが取り付けられているから、拘束アーム内に僅かに入り込んだだけで、ガイドローラとの相乗作用に容易に拘束することが可能である。また、拘束アーム部を開くときは、操作杆の手元側を押し込むだけでよく、片手で持ったまま地面に押し付けるか、他方の手で押し込めばよい。
【００１６】
また、拘束アーム部の閉塞状態はロックを解除するまで維持することができるから、手錠のように継続して行動の自由を奪うことができる。また、操作杆を伸縮自在とした場合には、短縮させることによって嵩張らないからパトカー等の車内に保管いておくことができ、警棒のように攻撃防御にも使用することができる。また、片手での操作が可能であるから、身の安全を図りながら激しく抵抗する暴漢者等の身体を拘束することができる。
【図面の簡単な説明】
【００１７】
【図１】この発明の第１実施形態に係る身体拘束具の拘束アーム部が開いた状態の一部を断面した平面図である。
【図２】図１の一部を拡大した拡大図である。
【図３】同じく、身体拘束具の拘束アーム部が閉じた状態の一部を断面した平面図である。
【図４】図３の一部を拡大した拡大図である。
【図５】操作杆を短縮させ、拘束アームが閉じた状態の一部を断面した平面図である。
【図６】操作杆を形成する先端筒と元筒との固定構造を示す他の実施形態の断面図である。
【図７】第２実施形態に係る身体拘束具の拘束アームが開いた状態の一部を断面した平面図である。
【図８】同じく、開いた状態の拘束アーム部を示す平面図である。
【発明を実施するための形態】
【００１８】
次に、この発明に係る開閉式身体拘束具の実施形態を図面に基づいて説明する。図１は、この発明に係る開閉式身体拘束具（以下、単に身体拘束具という）の第１実施形態を示す一部を断面した平面図、図２は操作杆の一部を拡大した拡大図である。
【００１９】
図示する身体拘束具１は、拘束部２と、前記拘束部２を固定し操作する操作杆３と、拘束部２を開閉するスライド部材４と、拘束アームが閉じたときにスライド部材のスライドをロックするロック機構５と、拘束部２の拘束アームを開口した状態に保持するストッパー機構６から構成されている。
【００２０】
さらに詳述すると、前記拘束部２は、開閉自在な独立した一対の拘束アーム１１、１１と、前記拘束アーム１１，１１の間に配設される固定部材１２と、操作杆の先端に固着され、スライド部材４を摺動自在に挿通する支持部材１３と、前記拘束アーム１１，１１の内側端部と支持部材１３との間に回動自在に固定される遥動板１４とからなる。
【００２１】
前記拘束アーム１１、１１は、平面形状を略フック状に形成され、内側面に暴漢者等の身体、特に手又は足を挟み込んで拘束することができるように湾曲面１１ａ，１１ａが形成されている。拘束アーム１１，１１は、板状体であって、軽量化のために複数の透孔１１ｂが穿設されており、先端部に手足の挿入を容易にするためのガイド部材としてガイドローラ２０，２０が取り付けられている。前記ガイドローラ２０，２０は、内側にのみ回転し、外側には回転しない逆止め付きローラであることが好ましい。ガイドローラ２０、２０は、内側にのみ回転するので、拘束アーム１１，１１が閉じるときに、挟み込む手足を内側に案内することになり、一層有効に挟み込むことができる。
【００２２】
また、前記ガイドローラ２０，２０は、挟み込む手足を拘束アーム１１，１１の内側に案内するものであり、拘束アーム１１，１１の先端部において互いに反対向きに取り付けられている。なお、前記ガイドローラ２０，２０は、省略することが可能であり、また、他の構成のガイド部材とすることができる。例えば、拘束アーム１１，１１の先端部に外側に開いたガイド板を取り付けたり、先端部を単にテーパー面としてもよい。
【００２３】
さらに、拘束アーム１１，１１について詳述すると、拘束アーム１１，１１は、閉じたときに先端部が交差することができるように、中間部に互いに反対側に折り曲げた屈曲部を形成することが好ましい。前記屈曲部を形成することによって、図３に示すように、屈曲部より先端部は側面において互いに上下において交差する。拘束アーム１１，１１は、湾曲面１１ａ，１１ａを有しているとともに、屈曲部を形成することによって交差可能に形成したから、閉じたときに湾曲面によって形成される隙間を徐々に小さくすることができ、手足の太さに対応することができる。
【００２４】
拘束アーム１１，１１の内側端部１１ｃが、軸１５によって固定部材１２に回動自在に軸着されており、固定部材１２は、操作杆３内にスライド自在に挿通されたスライド部材４の先端部に固着されている。また、拘束アーム１１、１１の外側角部１１ｄ、１１ｄには、遥動板１４が軸１７によって回動自在に軸着されている。前記遥動板１４は、一端部が軸１６によって支持部材１３に回動自在に軸着され、他端部が軸１７によって拘束アーム１１、１１の外側角部１１ｄ、１１ｄに回動自在に軸着されている。
【００２５】
支持部材１３は操作杆３の先端に固着されているとともに、スライド部材４をスライド自在に挿通しているから、スライド部材４が手元側に後退すると固定部材１２も同時に後退することになり、前記搖動板１４の拘束アーム１１，１１側が外側に開く。さらに、スライド部材４が手元側に後退すると、遥動板１４が開きながら拘束アーム１１，１１の内端を押し下げることになり、軸１５を中心にして拘束アーム１１，１１の先端側が接近するように閉じられる(図３参照)。拘束アーム１１，１１は閉じられるが、湾曲面１１ａ，１１ａによって隙間が形成されることになり、この隙間に手又は足等が挟みこまれることになる。
【００２６】
反対に、スライド部材４が先端方向に前進すると固定部材１２も同時に前進することになり、前記搖動板１４の拘束アーム１１，１１側が内側に閉じる。さらに、スライド部材４が先端方向に前進すると、遥動板１４が閉じながら拘束アーム１１，１１の内端を引き上げることになり、軸１５を中心にして拘束アーム１１，１１の先端側が開くことになる（図１参照）。
【００２７】
次に、図１、図３に基づいて、操作杆３について説明する。図１、図３は操作杆３を伸長した場合の組み立て図である。操作杆３は、先端筒３１と前記先端筒３１を挿入する元筒３２によって伸縮自在に形成されている。前記先端筒３１の手元側端部には、バネによって出没自在な固定用ボタンピン３３が設けられており、元筒３２の先端側には操作杆を伸張させたときに、前記ボタンピン３３が嵌合する透孔３４と操作杆を縮小させたときボタンピン３３が嵌合する透孔３４ａが穿設されている。
【００２８】
先端筒３１に設けた固定用ボタンピン３３が元筒３２の透孔３４に嵌合されて伸長状態が維持されている。操作杆３を縮小するときは、固定用ボタン３３を押し込んで透孔３４との嵌合を解除すれば、先端筒３１を元筒３２内に挿入することができる。先端筒３１を元筒３２内に挿入し、固定用ボタンピン３３が透孔３４ａに嵌合すると縮小状態が維持される。
【００２９】
前記スライド部材４は、操作杆３に対応して伸縮自在に形成されており、スライド管４１内に挿入されるスライドバー４２とからなる。スライド管４１は、先端筒３１内にスライド自在に挿入されており、先端には拘束部２を形成する固定部材１２が固着されている。スライド管４１とスライドバー４２は、プランジャー構造に形成されている。スライドバー４２は、スライド管４１の底部に設けた係止板４３の透孔に挿通されており、スライドバー４２の先端に設けた係止片４４がスライド管４１の内側から係止板４３に係止することによって抜けが防止される。
【００３０】
スライド管４１は、支持部材１３に挿入する先端支持部４１ａと、スライドバー４２を挿入するパイプ部４１ｂとからなり、前記パイプ部４１ｂの外周に押圧バネ４４が装着されている。前記押圧バネ４４は、先端筒３１の内面に設けたバネ受け４５と先端支持部４１ａとの間に装着されており、先端支持部４１ａとパイプ部４１ｂによるスライド管４１を先端方向に付勢している。
【００３１】
スライド管４１が押圧バネ４４によって先端方向に付勢されるので、押圧バネ４４が伸長した状態では拘束アーム１１，１１は常に開口されている。スライド管４１が手元方向にスライドすると押圧バネ４４は圧縮されて拘束アーム１１，１１は閉じられる。
【００３２】
前記スライドバー４１の後端部(手元側)は、後述する元筒バネ受けに挿通されており、後端がスライド可能なキーガイドに固定されている。スライド部材を縮小するときは、スライドバーをスライド管４１内に押し込めばよい。
【００３３】
次に、図２、図４に基づいてロック機構５とストッパー機構６を説明する。まず、ロック機構５について説明する。ロック機構５は、元筒３２内をスライドするキーガイド５１と、前記キーガイド５１に上下動自在に挿入されるにラチェットキー５２と、前記ラチェットキー５２の中心に穿設した透孔５２ａに出入する解除ピン５３と、前記ラチェットキー５２がスライドする範囲の元筒３２の内面に形成した鋸歯状溝３２ａとによって形成されている。
【００３４】
さらに詳述すると、前記鋸歯状溝３２ａは、垂直面と傾斜面による独立した溝が連続して形成されている。傾斜面は手元側内方に向かって傾斜している。前記キーガイド５１の先端には、上記スライドバー４２が固着されており、スライドバー４２はキーガイド５１と一体にスライドする。前記ラチェットキー５２は、中心部に解除ピン５３が挿入される透孔５２ａが設けられ、手元側面がテーパー面５２ｂに形成されており、先端部は鋭角に形成されている。
【００３５】
ラチェットキー５２は、キーガイド５１に径方向に形成した取り付け穴５４に嵌入されており、バネ５５によって外側方向に付勢されている。従って、鋸歯状溝３２ａとラチェットキー５２は、それぞれ手元側が傾斜面に形成されているから、係合状態のときにも前記ラチェットキー５２は、手元方向にスライドするが、先端方向にはスライドすることが防止される。このように、キーガイド５１が、鋸歯状溝３２ａと係合しているときは、手元側方向にのみスライドし、拘束アーム１１，１１は、閉じた状態でロックされることになる。
【００３６】
キーガイド５１の軸芯には、前記解除ピン５３の先端部を挿入するピン穴５６が形成されている。前記ピン穴５６は、手元側に開口し取り付け穴５４を貫通して設けられている。ラチェットキー５２がバネ５５によって外側方向に付勢され、解除ピン５３が挿入されると、ラチェットキー５２が押し下げられ鋸歯状溝３２ａとラチェットキー５２との係合が解除される。鋸歯状溝３２ａとラチェットキー５２とが係合しているとともに、ラチェットキー５２の透孔５２ａとピン穴５６とは穴の位置が一部ずれるように形成されている。
【００３７】
前記解除ピン５３の先端部は先細に形成されており、後端部はスライドするピンホルダー５７を介して操作部６０に連結されている。前記操作部６０は、元筒３２の後端面に固着された固定輪６１にスライド自在に挿通されるスライド部６２と握り部６３からなる。従って、前記解除ピン５３、ピンホルダー５７及びスライド部６２は、一体になってスライドすることになる。
【００３８】
前記キーガイド５１とピンホルダー５７との間には、押圧バネ６４が設けられている。解除ピン５３がラチェットキー５２の透孔５２ａから引き出されると、前記押圧バネ６４によってキーガイド５１とピンホルダー５７との間に所定の隙間が維持される。後退している解除ピン５３が前進し、先端部がラチェットキー５２の透孔５２ａに挿入されると、ラチェットキー５２をバネ５５に抗して押し下げる。ラチェットキー５２が押し下げられると、鋸歯状溝３２ａとの係合状態が解除されるので、キーガイド５１が先端方向にスライドすることが可能となる。
【００３９】
上記ストッパー機構６は、拘束アーム１１，１１を開いた状態に保持するとともに、瞬時に閉じるための操作機構である。ストッパー機構６は、キーガイド５１に埋設されたボタンピン６５と、リリースプレート６６と、押圧バネ６７によって形成されている。前記ボタンピン６５は、キーガイド５１に径方向に設けられた取り付け穴６８に嵌入されており、底部に設けられたバネ６７によって頭部が元筒３２に設けられた透孔３２ｂから露出するように形成されている。
【００４０】
リリースプレート６６は可撓性を有しており、下面に前記ボタンピン６５に当接する突起６６ａが突設されている。従って、リリースプレート６６を押し下げると、突起６６ａがボタンピン６５の頭部を元筒３２の内面にまで押し下げることになる。
【００４１】
さらに、元筒バネ受け６９とキーガイド５１との間に押圧バネ７０が設けられている。元筒バネ受け６９は、元筒３２内部に固着されており、スライドバー４２をスライド自在に挿通している。前記押圧バネ７０は、一端が元筒バネ受け６９によって固定されているから、キーガイド５１及びスライドバー４２を手元側方向に付勢することになる。
【００４２】
次に、上記構成に係る身体拘束具１の使用方法について説明すると、拘束アーム１１，１１を開くときは、操作部６０の握り部６３を押し込んでスライド部６２を先端方向にスライドさせる。スライド部６２を先端方向にスライドさせるには、握り部６３を手で押し込んでも良いし、地面に突き立てて押し込んでも良い。
【００４３】
スライド部６２をスライドさせると、まず、押圧バネ６４が圧縮されて解除ピン５３の先端がラチェットキー５２の透孔５２ａに差し込まれる。さらに、そのまま透孔５２ａに解除ピン５３が差し込むと、ラチェットキー５２が押し下げられて押圧バネ７０を圧縮するとともに、ラチェットキー５２の先端と鋸歯状溝３２ａとの係合が解除される。そこで、キーガイド５１を容易に先端方向にスライドさせることができる。
【００４４】
キーガイド５１がスライドして先端方向に前進すると、押圧バネ７０を圧縮しながらスライドバー４２がスライド管４１に挿入される。スライド管４１にスライドバー４２が挿入されると、スライド管４１が手元側に引っ張られて押圧バネ４４の圧縮が解除されるから、押圧バネ４４の付勢力によって固定部材１２が突き出される。固定部材１２の突き出しによって、拘束アーム１１，１１のガイドローラ２０側が離れるように開くことになる(図１参照)。
【００４５】
拘束アーム１１，１１の先端部が開くと同時に、キーガイド５１に設けられたボタンピン６５の頭部が元筒３２に穿設された透孔３２ｂに嵌入して、固定部１２が押し込まれてもスライド部材４の手元方向へのスライドは防止される（図１及び図２参照）。
【００４６】
ボタンピン６５の頭部が元筒３２の透孔３２ｂに嵌入してキーガイド５１の前進が防止され、操作部６０を押し込むのが止められる。操作部６０の押し込みを止めると、押圧バネ６４によってスライド部材６２がピンホルダー５７とともに手元側に押し戻され、解除ピン５３がラチェットキー５２の透孔５２ａから引き出される。
【００４７】
拘束アーム１１，１１を閉じるには、リリースプレート６６を押圧するだけでよい。リリースプレート６６を押圧すれば、下面の突起６６ａによってボタンピン６５の頭部が元筒３２の内面側に押し込まれ、透孔３２ｂとの係合状態が解除されるから、押圧バネ７０の付勢力によってキーガイド５１を手元側に後退させる。
【００４８】
キーガイド５１が後退すると、押圧バネ６４を圧縮しながらラチェットキー５２の透孔５２ａに解除ピン５３が挿入される。透孔５２ａに解除ピン５３が挿入することによって、ラチェットキー５２と鋸歯状溝３２ａとの係合が解除されるので、キーガイド５１は一気に後退することになる。
【００４９】
キーガイド５１が後退すると、同時にスライドバー４２によってスライド管４１が引っ張られるので、押圧バネ４４が圧縮されてスライド部材４も後退することになり、拘束アーム１１，１１は瞬時に閉じられる。拘束アーム１１，１１が閉じられてキーガイド５１の後退が停止すると、さらに、押圧バネ６４によって操作部６０が手元側に押し出され、解除ピン５３がラチェットキー５２の透孔５２ａから引き出されて、ラチェットキー５２と鋸歯状溝３２ａとの係合がロックされる。ラチェットキー５２と鋸歯状溝３２ａとの係合がロックされると、スライド部材４は先端方向にスライドすることはない。
【００５０】
上記の通り、身体拘束具１は、固定部材１２を暴漢者等に押し当てることがなく、拘束アーム１１，１１の内側に入った瞬間にリリースプレート６６を押圧するだけで一気に閉じることができる。拘束アーム１１，１１が閉じるときは、内側方向にのみ回転するガイドローラ２０と相まって、暴漢者等を拘束アーム１１，１１内に呼び込むことができる。
【００５１】
拘束アーム１１，１１が閉じた状態でロックされると、操作部６０を押し込まない限り解除されることはないし、握り部６３は拘束アーム１１，１１から最も離れた操作杆の後端側に設けられているから、暴漢者等が握り部６３を押し込んでロックを解除することはできない。
【００５２】
尚、拘束アーム１１，１１は、閉じた後にも固定部材１２を押し付けると、さらにスライド部材４及びキーガイド５１を手元側にスライドさせて、拘束アーム１１，１１の内側の隙間を小さくすることができ確実に拘束することができる。
【００５３】
また、拘束アーム１１，１１は、上記実施形態では屈曲部の形成によって交差して閉じる構成としたが、交差させることなく単に突合せて当接させてもよいし、近接させる構成としてもよい。また、拘束アーム１１，１１の形状は、挟み込んだとき内側に隙間を有する形状であればよく、図１に示すように全体を湾曲させた形状の他、略Ｌ字状に形成してもよく特に限定されるものではない。
【００５４】
次に、操作杆３を縮小させるには、固定用ピン３３を押し込んで透孔３４との係合を解除し、先端筒３１を元筒３２内に挿入すればよい。同時に、スライド部材４のスライドバー４２は、スライド管４１に挿入される。固定用ボタンピン３３が元筒に穿設した透孔３４ａに嵌合すると、縮小状態が維持される。このとき、押圧バネ４４の圧縮は解除されるので、押圧バネ４４の付勢力によって拘束アーム１１，１１は開口している(図３参照)。
【００５５】
図６は、操作杆３の他の組み立て構造を示し、先端筒３１に取り付けたソケット３６と元筒３２とを螺合することによって固定される。前記ソケット３６の底部３６ａが先端筒３１の外面に突設した係止片３７に係止し、内面に刻設した雌ネジ３６ｂが元筒３２の外面に刻設した雄ネジ３１ｂと螺合することによって固定される。元筒３２からソケット３６を外すときは、雌ネジ３６ｂと雄ネジ３１ｂとの螺合を緩めて、ソケット３６を先端筒３１の先端方向に移動させればよい。
【００５６】
次に、図７及び図８に基づいてこの発明の第２実施形態の身体拘束具１Ａについて説明する。この第２実施形態における操作杆３Ａは、先端筒と元筒とは一体に形成されており伸縮することがないとともに、先端筒内の押圧バネを省略している点で第１実施形態と異なる。従って、異なる構成のみを説明し、同一の構成については同一符号を付してその説明は省略する。
【００５７】
拘束部２Ａを構成する拘束アーム１１Ａ、１１Ａは、棒状体を湾曲させて形成されており、固定板１５を介して固定部材１２及び遥動板１４に取り付けられている。拘束アーム１１Ａ、１１Ａの先端部には、内側方向にのみ回転するガイドローラ２０Ａが取り付けられている。前記ガイドローラ２０Ａは軽量化のために透孔２１が穿設されている。
【００５８】
この実施形態では、拘束アーム１１Ａ，１１Ａを押し広げるために先端筒内に設けた押圧バネは省略されているが、開口状態はボタンピン６５が元筒３２の透孔３２ｂに嵌入することによって維持されている。この実施形態のように、拘束アーム１１Ａ，１１Ａを棒状体で形成した場合には、多少可撓性を持たせることができる。可撓性を有することによって、暴漢者等の動きに応じて変形することが可能であるから、暴漢者等を痛めることなく拘束することができる。
【００５９】
第２実施形態の身体拘束具１Ａの使用方法は、スライド部材を一体に形成し伸縮しない構造とした以外は、第１実施形態の場合と同様であるから、その説明は省略する。
【００６０】
上記いずれに実施形態においても、スライド部材４が後退するとそのままロック機構５によって拘束アームの閉じた状態が維持されることになるので、確実に拘束することができる。また、手足等を激しく動かせば動かすほど固定部材１２を押し込むことになるので、拘束アームは一層閉じられることになる。足首を拘束した場合には、足の自由を奪われた暴漢者等は立っていることが困難になるから、操作杆３を操作して倒すことができ、容易に取り押さえることができる。
【００６１】
以上詳述したように、この発明に係る開閉式身体拘束具によれば、暴漢者等に押し付けることなくリリースプレートを押すだけで拘束アームを閉じることができるから、瞬時に、しかも確実に拘束することができる。また、片手で操作して警棒のように攻撃防御にも使用することができから、身を守るにも有効である。また、拘束アームは、操作杆の後端に突出している握り部を押し込むだけで、閉じた拘束アームを簡単に短時間で開口することができるから、拘束に失敗した場合でも迅速に対応することができる。
【符号の説明】
【００６２】
１、１Ａ：身体拘束具１  
２、２Ａ：拘束部  
３、３Ａ：操作杆
４：スライド部材  
５：ロック機構  
６：ストッパー機構
１１：拘束アーム  
１２：固定部材  
１３：支持部材
１４：遥動板  
１５：固定板
２０：ガイドローラ
３１：先端筒  
３２：元筒  
３２ａ：鋸歯状溝
３３：固定用ボタン
４１：スライド管  
４２：スライドバー  
４３：係止板
４４：押圧バネ
５１：キーガイド  
５２：ラチェットキー  
５３：解除ピン
５４：取り付け穴  
５５：バネ  
５６：ピン穴
５７：ピンホルダー
６０：操作部  
６１：固定輪  
６２：スライド部
６３：握り部  
６４：押圧バネ  
６５：ボタンピン
６６：リリースプレート  
６７：押圧バネ
６８：取り付け穴
【図１】
0005545894.tif 000002
【図２】
0005545894.tif 000003
【図３】
0005545894.tif 000004
【図４】
0005545894.tif 000005
【図５】
0005545894.tif 000006
【図６】
0005545894.tif 000007
【図７】
0005545894.tif 000008
【図８】
0005545894.tif 000009